(57)【要約】【課題】ホワイトボードに書き込まれた文字や図形を消去中に、払拭面の汚れによる消去ができなくなるのを防ぐために、ケースの収容部に収容された払拭部材の払拭面が、油性インク滓が付着して汚れた面か清浄な面かを外部より視認できるようにする。【解決手段】払拭部材を収納するケースの一部または全体を透明または半透明の合成樹脂で形成することにより、または、外方よりケースの収納部に収納された払拭部材のケースに被覆された払拭面に指が接触することのない内外を貫通した貫通孔による、払拭部材の払拭面を視認できる窓部を形成する。【選択図】図３
2009039947.tif 000002
【特許請求の範囲】
【請求項１】
ホワイトボードに書き込まれた文字や図形を払拭する複数の払拭面を有する柱状体の払拭部材と、該払拭部材を保持する一方を開口した収納部を有する合成樹脂で形成したケースとで構成され、払拭部材をケースの収納部に、払拭部材の一方の払拭面を開口部より突出させて着脱自在に挿着してなるホワイトボード用イレーザーにおいて、ケースに、収納された払拭部材の払拭面を視認できる窓部を設けたことを特徴とするホワイトボード用イレーザー。
【請求項２】
前記窓部を、ケースの一部または全体を透明または半透明の合成樹脂で形成することによりに設けた、請求項１に記載のホワイトボード用イレーザー。
【請求項３】
前記窓部を、外方よりケースの収納部に収納された払拭部材のケースに被覆された払拭面に指が接触することのない内外を貫通した貫通孔により設けた、請求項１に記載のホワイトボード用イレーザー。
【請求項４】
前記払拭部材における払拭面を、ホワイトボードに書き込まれた文字や図形の筆跡の色と異なる、黒色、赤色、青色、緑色、橙色以外の色とした、請求項１ないし３のいずれか１項に記載のホワイトボード用イレーザー。
【発明の詳細な説明】
【技術分野】
【０００１】
本発明は、複数の払拭面を有する柱状体の払拭部材をケースに着脱自在に挿着したホワイトボード用イレーザーに関する。
【背景技術】
【０００２】
ホワイトボードに油性インクで書き込まれた文字や図形を払拭する、少なくとも対向した２つの払拭面を有する柱状体の払拭部材と、該払拭部材を保持する一方を開口した収納部を有する合成樹脂で形成したケースとで構成され、払拭部材をケースの収納部に、払拭部材の一方の払拭面を開口部より突出させて着脱自在に挿着してなるホワイトボード用イレーザーは知られている。
【０００３】
当然に、払拭部材の払拭面は、ホワイトボードに油性インクで書き込まれた文字や図形を払拭するたびに油性インク滓が付着し汚れてくる。前記したような対向した２つの払拭面を有する両面タイプの払拭部材では、一方の払拭面が汚れてくると、綺麗な他方の払拭面が表に現れるように、払拭部材をケースより取り外し、他方の払拭面が払拭部材の開口部より露出するように向きを変えて払拭部材をケースに挿着し、また新たにホワイトボードに油性インクで書き込まれた文字や図形を払拭し続けることができる。払拭面の両面が油性インクで汚れてしまうと、払拭部材の両面を洗浄し、払拭部材をケースの収容部に収容して再度使用する。
【０００４】
ところで、従来、ホワイトボードに書き込まれた文字や図形をイレーザーを用いて消去中に、消去性能が悪くなったので、綺麗な他方の払拭面が表に現れるように、払拭部材をケースより取り外し、他方の払拭面が払拭部材の開口部より露出するように向きを変えようとした際に、他方の払拭面も油性インク滓が付着して汚れおり、他のイレーザーを慌てて探したりとか、ティッシュ等でホワイトボードに書き込まれた文字や図形を消さなければならなかったりすることがままあった。
【特許文献１】登録実用新案第３１１４９９２号公報
【発明の開示】
【発明が解決しようとする課題】
【０００５】
本発明はこうした事実に鑑み、ケースの収容部に収容された払拭部材の払拭面が、油性インク滓が付着して汚れた面か清浄な面かを外部より視認できるようにしたホワイトボード用イレーザーを得ることを目的とするものである。
【課題を解決するための手段】
【０００６】
本発明は、
「１．ホワイトボードに書き込まれた文字や図形を払拭する複数の払拭面を有する柱状体の払拭部材と、該払拭部材を保持する一方を開口した収納部を有する合成樹脂で形成したケースとで構成され、払拭部材をケースの収納部に、払拭部材の一方の払拭面を開口部より突出させて着脱自在に挿着してなるホワイトボード用イレーザーにおいて、ケースに、収納された払拭部材の払拭面を視認できる窓部を設けたことを特徴とするホワイトボード用イレーザー。
２．前記窓部を、ケースの一部または全体を透明または半透明の合成樹脂で形成することによりに設けた、請求項１に記載のホワイトボード用イレーザー。
３．前記窓部を、外方よりケースの収納部に収納された払拭部材のケースに被覆された払拭面に指が接触できない程度の大きさの、内外を貫通した貫通孔により設けた、請求項１に記載のホワイトボード用イレーザー。
４．前記払拭部材における払拭面を、ホワイトボードに書き込まれた文字や図形の筆跡の色と異なる、黒色、赤色、青色、緑色、橙色以外の色とした、請求項１ないし３のいずれか１項に記載のホワイトボード用イレーザー。」
である。
【０００７】
本発明における払拭部材は、ホワイトボードに油性インクで書き込まれた文字や図形を払拭できるものであれば、材質や形状は特に限定されるものではない。例えば、スポンジ等で形成した柱状体の心材の表面を不織布等のシートで巻いたもの等がある。また、窓部における形状や大きさにつても、特に限定されない。
【０００８】
窓部は、少なくともイレーザーとしての払拭面となる払拭部材の外方に露出した払拭面に対向したケースの上面にのみ設けたものでも良く、あるいは払拭部材における他の払拭面に対向したケースの側面に設けたものでも良い。また、窓部を透明または半透明の合成樹脂によりケースに設ける場合には、一部を透明または半透明状に形成して窓部としても良いし、ケース全体を透明または半透明の合成樹脂により形成して、ケース全体を窓部としても良い。
【発明の効果】
【０００９】
本発明のホワイトボード用イレーザーは前記したような構造なので、ケースの収容部に収容されて被覆された払拭部材の払拭面が、外部より視認できるので、油性インク滓が付着して汚れた面か清浄な面かを知ることができる。それにより、ケースにより被覆されていない表面側の払拭面が汚れて、ホワイトボードに油性インクで書き込まれた文字や図形の消去性能が低下してきた際に、払拭部材をケースより取り外して洗浄した方が良いかどうか判別することができ、消去中に払拭部材の両面が油性インクで汚れてしまい、ホワイトボードに書き込まれた文字や図形をイレーザーを用いて消去できなくなるという危険を回避することができる。
【００１０】
窓部を、ケースに、内外を貫通した貫通孔により設ける際には、ケースを把持した際に窓部から払拭部材の払拭面を指等が触れることがないので、指等を払拭面に付着した油性インク滓で汚すことがない。
【００１１】
また、ホワイトボード用油性インクの色としては、黒色、赤色、青色、緑色、橙色であり、払拭部材における払拭面を前記の色以外で設けてあげれば、払拭部材の払拭面が油性インク滓が付着して汚れているかどうかさらに判別しやすくなるという利点がある。
【発明を実施するための最良の形態】
【００１２】
本発明のホワイトボード用イレーザーは、払拭部材を保持する一端を開口した収納部を有するケースに、収納部に収納された払拭部材の払拭面を視認できる窓部を設けるものである。
【実施例】
【００１３】
本実施例を図面を用いて説明するが、これに限定されるものではない。同じ部材同じ箇所を示す場合は同じ符号を付してある。
図１は、本実施例のホワイトボード用イレーザーを示す斜視図である。図２は、図１におけるホワイトボード用イレーザーにおいて、払拭部材をケースから取り外した状態のケースと払拭部材の斜視図である。図３は、他の実施例のホワイトボード用イレーザーの斜視図である。 図４は、さらに他の実施例のホワイトボード用イレーザーの斜視図である。
【００１４】
本実施例のホワイトボード用イレーザー１は、図２に示すように、払拭部材２を、硬質のスポンジで形成した直方体の心材３の長手方向の４つの側面の表面に不織布のシート４を巻いて形成してあり、２つの払拭面５ａ、５ｂを設けてある。ケース６は透明のＡＢＳ樹脂により一方を開口部７した収納部８を有する箱形状に形成してある。前記払拭部材２をケース６の収納部８に着脱自在に収納して、図１に示すように、払拭部材２の一方の払拭面５ａを開口部７より突出させてホワイトボード用イレーザー１を形成してある。
【００１５】
ケース６が透明なので払拭部材２の一方の払拭面５ａに対向した他方の払拭面５ｂが油性インク滓の付着により汚れているか清浄であるかを一目瞭然に確認することができる。
【００１６】
図３は、他の実施例を示すホワイトボード用イレーザー２１で、前記実施例と同様の払拭部材２の外方に露出した一方の払拭面５ａに対向した、前記ケース６と同様の形状で不透明のＡＢＳ樹脂で形成したケース２２の上面２３に、払拭部材２の収納された他方の払拭面（図示せず）を視認でき、払拭面に指が接触することのない大きさの小径で多数の円形状の窓部２４を設けた以外は、前記実施例と同様に設けてある。
【００１７】
ケース２２の上面２３に窓部２４を設けてあるので、前記上面２３に対向した払拭部材２の払拭面が油性インク滓の付着により汚れているか清浄であるかを一目瞭然に確認することができる。
【００１８】
図４は、さらに他の実施例を示すホワイトボード用イレーザー３１で、４つの払拭面３２を有するように設けた以外は、前記実施例における払拭部材２と同様にして形成した払拭部材３３と、前記実施例のケース６と同様の形状で不透明のＡＢＳ樹脂で形成したケース６と同様の形状に形成したケース３４の上面３５と対向した側面３６ａ、３６ｂに、払拭部材３３の収納された他方の払拭面（図示せず）を視認でき、払拭面に指が接触することのない幅の長手方向に延びた長方形状の窓部３７を設けたものである。
【００１９】
前記窓部２２により、ケース３４に収納された払拭面３２が油性インク滓の付着により汚れているか清浄であるかを一目瞭然に確認することができる。
【産業上の利用可能性】
【００２０】
本発明は、複数の払拭面を有した払拭部材を着脱自在にケースに収納したホワイトボード用イレーザーにおいて、ケースに収容された払拭面が油性インク滓が付着して汚れているか清浄であるかを知ることができる。
【図面の簡単な説明】
【００２１】
【図１】本実施例のホワイトボード用イレーザーを示す斜視図である。
【図２】図１におけるホワイトボード用イレーザーにおいて、払拭部材をケースから取り外した状態のケースと払拭部材の斜視図である。
【図３】他の実施例のホワイトボード用イレーザーの斜視図である。
【図４】さらに他の実施例のホワイトボード用イレーザーの斜視図である。
【符号の説明】
【００２２】
１  ホワイトボード用イレーザー
２  払拭部材
５  払拭面
６  ケース
７  開口部
８  収納部
２１  ホワイトボード用イレーザー
２２  ケース
２４  窓部
３１  ホワイトボード用イレーザー
３２  払拭面
３３  払拭部材
３４  ケース
３７  窓部
【図１】
2009039947.tif 000003
【図２】
2009039947.tif 000004
【図３】
2009039947.tif 000005
【図４】
2009039947.tif 000006